(57)【特許請求の範囲】
【請求項１】
本体と、
前記本体に設けられた人感センサと、
被加熱物を加熱する加熱手段と、
前記加熱手段を制御する制御手段と、を備え、
前記制御手段は、
人を識別する識別情報を記憶する記憶手段を有し、
加熱調理を開始後、前記人感センサの検知情報と、前記識別情報と、前記加熱調理の最中に入力された、前記識別情報に関する情報であって使用者を特定するための入力情報と、に基づいて、前記加熱調理を継続又は停止させる
ことを特徴とする加熱調理器。
【請求項２】
前記制御手段は、
加熱調理を開始後、前記人感センサが使用者の存在を検知した場合において、前記識別情報と、前記使用者の存在の検知の際又は該検知の後に入力された前記入力情報とが一致するとき、前記加熱調理を継続させ、
加熱調理を開始後、前記人感センサが使用者の存在を検知した場合において、前記識別情報と、前記使用者の存在の検知の際又は該検知の後に入力された前記入力情報とが相違するとき、前記加熱調理を停止させる
ことを特徴とする請求項１に記載の加熱調理器。
【請求項３】
前記制御手段は、
加熱調理を開始後、前記人感センサが使用者の存在を検知しない場合において、予め定められた時間の経過以降に入力された前記入力情報と、前記識別情報とが一致するとき、前記加熱調理を継続させ、
加熱調理を開始後、前記人感センサが使用者の存在を検知しない場合において、予め定められた時間の経過以降に入力された前記入力情報と、前記識別情報とが相違するとき、前記加熱調理を停止させる
ことを特徴とする請求項１又は請求項２に記載の加熱調理器。
【請求項４】
前記人感センサは、
前記本体の側面視において各々相違する光路を形成するように複数設けられた
ことを特徴とする請求項１〜請求項３の何れか一項に記載の加熱調理器。
【請求項５】
前記制御手段は、
加熱調理を開始後、複数の前記人感センサが使用者の存在を検知した場合において、前記識別情報と、前記使用者の存在の検知の際又は該検知の後に入力された前記入力情報とが一致するとき、前記加熱調理を継続させ、
加熱調理を開始後、複数の前記人感センサが使用者の存在を検知した場合において、前記識別情報と、前記使用者の存在の検知の際又は該検知の後に入力された前記入力情報とが相違するとき、前記加熱調理を停止させる
ことを特徴とする請求項４に記載の加熱調理器。
【請求項６】
前記制御手段は、
加熱調理を開始後、複数の前記人感センサのうち少なくとも何れかの前記人感センサが使用者の存在を検知しない場合において、予め定められた時間の経過以降に入力された前記入力情報と、前記識別情報とが一致するとき、前記加熱調理を継続させ、
加熱調理を開始後、複数の前記人感センサのうち少なくとも何れかの前記人感センサが使用者の存在を検知しない場合において、予め定められた時間の経過以降に入力された前記入力情報と、前記識別情報とが相違するとき、前記加熱調理を停止させる
ことを特徴とする請求項４又は請求項５に記載の加熱調理器。
【請求項７】
前記識別情報は、使用者の声紋、使用者の指紋、及び使用者の虹彩の少なくとも何れかに関する情報である
ことを特徴とする請求項１〜請求項６の何れか一項に記載の加熱調理器。
【発明の詳細な説明】
【技術分野】
【０００１】
本発明は、加熱調理器に関し、特に使用者を検出する加熱調理器に関する。
【背景技術】
【０００２】
従来、例えば、天板に設けられた第一の人体検知手段と、キッチンカウンターの側面上端に設けられた第二の人体検知手段と、を備えた加熱調理器があった（特許文献１参照）。特許文献１に記載の加熱調理器は、第一の人体検知手段及び第二の人体検知手段の検知結果に基づいて加熱制御手段を制御する。
【先行技術文献】
【特許文献】
【０００３】
【特許文献１】特開２００６−７８０７９号公報
【発明の概要】
【発明が解決しようとする課題】
【０００４】
しかしながら、特許文献１に記載の加熱調理器は、使用者が加熱調理器の前又は加熱調理器を監視可能な範囲に存在していない場合でも、第一の人体検知手段及び第二の人体検知手段の発光源が調理物等の物体によって塞がれているような場合には、使用者が存在すると判定して加熱調理を継続してしまう。また、特許文献１に記載の加熱調理器は、使用者が加熱調理器を監視可能な範囲に存在していても、使用者が第一の人体検知手段及び第二の人体検知手段の発光源の少なくとも何れかが人体を検出しない場合には、使用者が存在しないものと判定して加熱調理を停止してしまう。したがって、特許文献１に記載の加熱調理器は、加熱調理を適切に継続又は停止させることができないという課題があった。
【０００５】
本発明は、上述のような課題を背景としてなされたものであり、従来よりも加熱調理を適切に継続又は停止させる加熱調理器を得ることを目的としている。
【課題を解決するための手段】
【０００６】
本発明の加熱調理器は、本体と、前記本体に設けられた人感センサと、被加熱物を加熱する加熱手段と、前記加熱手段を制御する制御手段と、を備え、前記制御手段は、人を識別する識別情報を記憶する記憶手段を有し、加熱調理を開始後、前記人感センサの検知情報と、前記識別情報と、前記加熱調理の最中に入力された、前記識別情報に関する情報であって使用者を特定するための入力情報と、に基づいて、前記加熱調理を継続又は停止させるものである。
【発明の効果】
【０００７】
本発明の加熱調理器は、加熱調理を開始後、人感センサに加えて、人を識別する識別情報と、使用者によって入力された識別情報に関する入力情報と、を用いて、加熱調理を継続又は停止させるものである。したがって、従来よりも加熱調理を適切に継続又は停止させることができる。
【図面の簡単な説明】
【０００８】
【図１】本発明の実施の形態１に係る加熱調理器１００の概略斜視図である。
【図２】本発明の実施の形態１に係る加熱調理器１００の制御ブロック図を示す。
【図３】本発明の実施の形態１に係る加熱調理器１００の人感センサ１１，１２の詳細を示す図である。
【図４】本発明の実施の形態１に係る加熱調理器１００の制御フローチャートの第１の例を示す。
【図５】本発明の実施の形態１に係る加熱調理器１００の制御フローチャートの第２の例を示す。
【発明を実施するための形態】
【０００９】
以下、本発明の加熱調理器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は本発明の実施の形態１に係る加熱調理器１００の概略斜視図である。図２は本発明の実施の形態１に係る加熱調理器１００の制御ブロック図を示す。なお、図１の実線両矢印方向が加熱調理器１００の前後方向であるものとする。また、図１の破線両矢印方向が加熱調理器１００の左右方向であるものとする。
【００１１】
図１，図２に示されるように、加熱調理器１００は、本体１と、天板２と、上面操作部８と、前面操作部９と、人感センサ１１，１２と、制御手段５０と、インバータ回路５９と、加熱手段６０と、報知手段７０と、を備える。
【００１２】
本体１は、加熱調理を行う際に必要となる各種部材を収納する部材である。本体１の上面には天板２が設けられている。天板２には、鍋等の被加熱物を載置するための位置を示す左加熱口３、右加熱口４及び中央加熱口５が形成されている。本体１の前部上面には、各種操作を行うための上面操作部８が設けられている。本体１の右前面部には、火力調整等を行うための前面操作部９が設けられている。なお、上面操作部８及び前面操作部９を操作手段１０と総称することがあるものとする。また、本体１の前方とは、図１の実線両矢印のうち操作手段１０が設けられる方向を指すものとする。操作手段１０の入力情報は制御手段５０に入力される。
【００１３】
図２に示されるように、操作手段１０の入力情報及び人感センサ１１，１２の検出情報が制御手段５０に入力される。制御手段５０は、操作手段１０の入力情報及び人感センサ１１，１２の検出情報に基づいて、インバータ回路５９、加熱手段６０、及び報知手段７０を制御する。
【００１４】
制御手段５０は、例えば、この機能を実現する回路デバイスなどのハードウェア、又はマイコン若しくはＣＰＵなどの演算装置上で実行されるソフトウェアで構成される。制御手段５０は、各種情報を記憶する記憶手段５０ａを有する。
【００１５】
記憶手段５０ａは、加熱調理器１００の操作を行うことが想定される使用者の識別情報を記憶するものである。加熱調理器１００の操作を行うことが想定される使用者は、例えば、加熱調理器の操作に精通した者を指す。使用者の識別情報は、例えば、使用者の音声の声紋、指紋、虹彩である。記憶手段５０ａは、加熱調理を開始する前に、加熱調理器１００の操作を行うことが想定される使用者の識別情報を記憶する。加熱調理器１００の操作に精通した者と想定されるのは、例えば、成人した者を指す。
【００１６】
制御手段５０は、例えば、加熱調理を開始後、人感センサ１１，１２の検出情報と、識別情報と、使用者によって入力された識別情報に関する入力情報と、に基づいて、加熱調理を継続又は停止させる。人感センサ１１，１２の検出方向に使用者が存在する場合には、人感センサ１１，１２が検出する赤外線量は相対的に多く、使用者が存在しない場合には、人感センサ１１，１２が検出する赤外線量は相対的に少ないため、制御手段５０は、人感センサ１１，１２から出力される赤外線量と所定の閾値とを比較することによって、使用者の存在の有無を判断することができる。
【００１７】
インバータ回路５９は、本体１内部に設けられている駆動手段である。インバータ回路５９は、制御手段５０から出力された信号に基づいて加熱手段６０に個別に高周波電流を供給し、各加熱口に置かれた被加熱物を誘導加熱する。加熱手段６０は、左加熱口３、右加熱口４、中央加熱口５にそれぞれ対応して設けられている。
【００１８】
報知手段７０は、本体１内部に設けられ、制御手段５０から出力された制御信号に基づいて加熱調理器１００の動作状態に関する情報を出力するものである。例えば、報知手段７０は、音声（ガイド音声）を出力するスピーカーである。また例えば、報知手段７０は、ＬＥＤ、ＬＣＤ等で構成される表示手段である。なお、報知手段７０が音声を出力する構成となっている場合には、音声は予め設定されている音量又は使用者により設定された音量で出力される。また、報知手段７０が音声を出力する構成となっている場合には、音量は複数段階に設定できるようになっている。
【００１９】
図３は本発明の実施の形態１に係る加熱調理器１００の人感センサ１１，１２の詳細を示す図である。人感センサ１１は、例えば、加熱調理器１００の前方あるいはその近傍に設けられている。人感センサ１１は、図３（ａ）、（ｂ）の何れの例においても、使用者の存在を検出することができる。すなわち、人感センサ１１は、加熱調理器１００の前における使用者の存在自体の有無を検出するためのものである。人感センサ１２は、例えば、本体１の天面部に設けられている。人感センサ１２は、図３（ａ）の例においては使用者の存在を検出することができ、図３（ｂ）の例においては使用者の存在を検出することができない。すなわち、人感センサ１２は、加熱調理器１００の前に位置する使用者の属性を判定するためのものである。ここで「使用者の属性を判定する」とは、例えば、成人及び子供の何れであるかを判定することを意味している。
【００２０】
人感センサ１１，１２は、加熱調理器１００の電源がＯＮ状態になると、常に、あるいは所定タイミングで、使用者の存在の有無により変化する物理量を検知し、その物理量に応じた信号を出力する。人感センサ１１，１２は、その検出方向軸が例えば略水平面と平行又は本体１の前方に向かって上方に向かうように設けられ、加熱調理器１００の前の使用者が立っている状態、及び、しゃがみ込んでいる状態のいずれも検出することができ、また使用者の移動を検出することができる。
【００２１】
人感センサ１１，１２は、例えば、熱起電力型温度センサである。人感センサ１１，１２は、使用者から放射される赤外線を検出し、検出した赤外線量に応じた信号を、制御手段５０（図２参照）に出力する。なお、人感センサ１１，１２が設けられる例に限定されるものでなく、何れか一方のみが設けられるようになっていてもよい。
【００２２】
なお、人感センサ１１，１２が赤外線の検出量に関する情報を出力し、制御手段５０が、人感センサ１１，１２から出力された赤外線の検出量に基づいて使用者の存在の有無を判定するものとして説明するが、制御手段５０による使用者の存在の有無の判定処理を、人感センサ１１，１２に設けた制御回路等により実現してもよい。
【００２３】
図４は、本発明の実施の形態１に係る加熱調理器１００の制御フローチャートの第１の例を示す。以下に、本実施の形態１に係る加熱調理器１００の制御フローチャートの第１の例について、図４のステップＳ１０〜ステップＳ７０を用いて説明する。加熱調理が開始されると、ステップＳ１０に移行する。
【００２４】
ステップＳ１０において、制御手段５０は、時間に関するカウントｔをリセットして０とし、ステップＳ２０に移行する。ステップＳ２０において、制御手段５０は、人感センサ１１の検知結果に基づいて、加熱調理器１００の前に存在する使用者の有無を判定する。
【００２５】
ステップＳ２０において、制御手段５０が、加熱調理器１００の前に使用者が存在すると判定した場合には（ステップＳ２０においてＹＥＳ）、ステップＳ７０に移行する。
一方、ステップＳ２０において、制御手段５０が、加熱調理器１００の前に使用者が存在しないと判定した場合には（ステップＳ２０においてＮＯ）、ステップＳ３０に移行する。ステップＳ３０において、制御手段５０は、カウントｔをカウントＵＰし、ステップＳ４０に移行する。
【００２６】
ステップＳ４０において、制御手段５０は、カウントｔが所定値以上であると判定した場合には（ステップＳ４０においてＹＥＳ）、ステップＳ５０に移行する。ステップＳ５０において、報知手段７０は音声の報知を行って、ステップＳ６０に移行する。なお、ステップＳ４０における判定基準となる所定値は、適宜決定することができる。
一方、ステップＳ４０において、制御手段５０は、カウントｔが所定値未満であると判定した場合には（ステップＳ４０においてＮＯ）、ステップＳ２０に移行する。
【００２７】
ステップＳ６０において、制御手段５０は、記憶手段５０ａに記憶された識別情報と使用者によって入力された入力情報とが一致するか否かを判定する。
ステップＳ６０において、制御手段５０は、記憶手段５０ａに記憶された識別情報と使用者によって入力された入力情報とが一致すると判定した場合には（ステップＳ６０においてＹＥＳ）、ステップＳ２０に戻る。
一方、ステップＳ６０において、制御手段５０は、記憶手段５０ａに記憶された識別情報と使用者によって入力された入力情報とが相違すると判定した場合には（ステップＳ６０においてＮＯ）、加熱停止させる。
【００２８】
ステップＳ７０において、制御手段５０は、記憶手段５０ａに記憶された識別情報と使用者によって入力された入力情報とが一致するか否かを判定する。
ステップＳ７０において、制御手段５０は、記憶手段５０ａに記憶された識別情報と使用者によって入力された入力情報とが一致すると判定した場合には（ステップＳ７０においてＹＥＳ）、ステップＳ１０に戻る。
一方、ステップＳ７０において、制御手段５０は、記憶手段５０ａに記憶された識別情報と使用者によって入力された入力情報とが相違すると判定した場合には（ステップＳ７０においてＮＯ）、加熱停止させる。
【００２９】
また、以上の説明においては、ステップＳ６０の判定がＮＯの場合及びステップＳ７０の判定がＮＯの場合に加熱停止する例について説明したが、これに限定されない。例えば、報知手段７０が音声出力を行う報知手段で構成される場合には、音声を次第に大きくして使用者に対する注意を促すようにし、所定時間、音声による報知を行っても依然として記憶手段５０ａに記憶された識別情報と同一の入力情報が入力されない場合に、加熱停止するようにしてもよい。
【００３０】
また、以上の説明においては、ステップＳ６０の判定がＮＯの場合に加熱停止する例について説明したが、これに限定されない。例えば、加熱調理器１００の前に存在する使用者が子供である場合を考慮して、報知手段７０が音声出力を行う報知手段で構成される場合には、報知手段７０から出力される音声の話速を遅くして子供にとって報知手段７０から出力される音声を理解し易いようにしてもよい。
【００３１】
また、以上の説明においては、ステップＳ６０の判定がＮＯの場合及びステップＳ７０の判定がＮＯの場合に加熱停止する例について説明したが、これに限定されない。例えば、ステップＳ６０又はステップＳ７０において、制御手段５０が、報知手段７０が音声出力を行う報知手段で構成される場合には、使用者から入力される音声が複数の音声で構成される場合に、再度音声入力を行うように要求してもよい。これにより、加熱調理器１００の近くに複数の人間が声を発しているような場合において、ステップＳ６０及びステップＳ７０における判定を正確に行うことができる。
【００３２】
図５は、本発明の実施の形態１に係る加熱調理器１００の制御フローチャートの第２の例を示す。以下に、本実施の形態１に係る加熱調理器１００の制御フローチャートの第２の例について、図５のステップＳ１０〜ステップＳ６０を用いて説明する。加熱調理が開始されると、ステップＳ１０に移行する。
【００３３】
ステップＳ１０において、制御手段５０は、時間に関するカウントｔをリセットして０とし、ステップＳ２０に移行する。ステップＳ２０において、制御手段５０は、人感センサ１１の検知結果に基づいて、加熱調理器１００の前に存在する使用者の有無を判定する。
【００３４】
ステップＳ２０において、制御手段５０が、加熱調理器１００の前に使用者が存在すると判定した場合には（ステップＳ２０においてＹＥＳ）、ステップＳ１０に戻る。
一方、ステップＳ２０において、制御手段５０が、加熱調理器１００の前に使用者が存在しないと判定した場合には（ステップＳ２０においてＮＯ）、ステップＳ３０に移行する。ステップＳ３０において、制御手段５０は、カウントｔをカウントＵＰし、ステップＳ４０に移行する。
【００３５】
ステップＳ４０において、制御手段５０は、ｔが所定値以上であるか否かを判定する。
制御手段５０は、ｔが所定値以上であると判定した場合には（ステップＳ４０においてＹＥＳ）、ステップＳ５０に移行し、報知手段７０に音声報知を行わせて、ステップＳ６０に移行する。
一方、ステップＳ４０において、制御手段５０は、ｔが所定値以上でないと判定した場合には（ステップＳ４０においてＮＯ）、ステップＳ２０に移行する。
なお、ｔの具体的な数値は、適宜決定することができる。
【００３６】
ステップＳ６０において、制御手段５０は、記憶手段５０ａに記憶された識別情報と使用者によって入力された入力情報とが一致するか否かを判定する。
ステップＳ６０において、制御手段５０は、記憶手段５０ａに記憶された識別情報と使用者によって入力された入力情報とが一致すると判定した場合には（ステップＳ６０においてＹＥＳ）、ステップＳ１０に戻る。
一方、ステップＳ６０において、制御手段５０は、記憶手段５０ａに記憶された識別情報と使用者によって入力された入力情報とが相違すると判定した場合には（ステップＳ６０においてＮＯ）、加熱停止させる。
【００３７】
以上のように、本実施の形態１に係る加熱調理器１００は、本体１と、本体１に設けられた人感センサ１１と、被加熱物を加熱する加熱手段６０と、加熱手段６０を制御する制御手段５０と、を備え、制御手段５０は、人を識別する識別情報を記憶する記憶手段５０ａを有し、加熱調理を開始後、人感センサ１１の検知情報と、識別情報と、使用者によって入力された識別情報に関する入力情報と、に基づいて、加熱調理を継続又は停止させるものである。
このため、人感センサ１１が調理物等の物体によって塞がれているような場合においても、記憶手段５０ａが記憶する識別情報と同一の識別情報が入力されない場合に加熱調理を停止するため、従来よりも、安全性の観点で、加熱調理を適切に停止させることができる。また、人感センサ１１が使用者を検出しない場合においても、記憶手段５０ａが記憶する識別情報と同一の識別情報が入力された場合には使用者が加熱調理器を監視可能な範囲に存在しているものと判定して加熱調理を継続するため、従来よりも加熱調理を適切に継続させることができる。したがって、従来よりも加熱調理を適切に継続又は停止させることができる。
【００３８】
また、本実施の形態１に係る加熱調理器１００は、制御手段５０は、加熱調理を開始後、人感センサ１１が使用者の存在を検知した場合において識別情報と入力情報とが一致するとき、加熱調理を継続させ、加熱調理を開始後、人感センサ１１が使用者の存在を検知した場合において識別情報と入力情報とが相違するとき、加熱調理を停止させる。このため、加熱調理器１００の前に位置する使用者が加熱調理器１００の操作に精通したものであるかどうかを判定することができる。したがって、従来よりも加熱調理を適切に継続又は停止させることができる。
【００３９】
また、本実施の形態１に係る加熱調理器１００は、制御手段５０が、加熱調理を開始後、人感センサ１１が使用者の存在を検知しない場合において識別情報と入力情報とが一致するとき、加熱調理を継続させ、加熱調理を開始後、人感センサ１１が使用者の存在を検知しない場合において識別情報と入力情報とが相違するとき、加熱調理を停止させるものである。このため、加熱調理器１００の前に使用者が位置しない場合であっても、加熱調理器１００の操作に精通した使用者が存在するか否かを判定することができる。したがって、従来よりも、加熱調理を適切に継続又は停止させることができる。
【００４０】
また、本実施の形態１に係る加熱調理器１００は、識別情報として、使用者の声紋、使用者の指紋、及び使用者の虹彩の少なくとも何れかに関する情報を用いる。このため、使用者毎に適切な認証を選択して使用者の識別を行うことができる。
【００４１】
また、制御手段５０は、複数の識別情報を用いて、図４のステップＳ６０、図４のステップＳ７０、図５のステップＳ６０の判定を行うようにしてもよい。例えば、記憶手段５０ａは一人の使用者毎に複数の識別情報を登録しておき、人感センサ１１が使用者を検出した場合において、制御手段５０が使用者に対して段階的に識別情報を要求し、使用者によって入力された入力情報と、記憶手段５０ａに記憶されている複数の識別情報と、が一致した場合に、加熱調理器１００の前に使用者が存在すると判定するようにしてもよい。これにより、想定される使用者が加熱調理器１００を使用しているかどうかを段階的に把握することができ、識別情報が１つである場合に比べて誤って認証が行われて意図しない加熱調理が行われてしまう可能性を低減することができる。
【００４２】
また、以上の説明においては、人感センサ１１，１２が上下方向に異なる位置に設けられる例について説明したが、これに限定されない。人感センサ１１，１２が上下方向に同一の位置に設けられ、人感センサ１１，１２が本体１の左右方向において同一位置に設けられていてもよい。人感センサ１１，１２が、本体１の側面視において各々相違する光路を形成するように構成されていればよい。
【００４３】
実施の形態２．
本実施の形態２は、実施の形態１とは異なり、人感センサ１１，１２の検知結果に基づいて加熱制御を行うものである。なお、本実施の形態２において、特に記述しない項目については実施の形態１と同様とし、同一の機能や構成については同一の符号を用いて述べることとする。
【００４４】
本実施の形態２においては、実施の形態１とは異なり、制御手段５０が、人感センサ１１，１２の検知結果に基づいて加熱制御を行う。人感センサ１１，１２は、本体１の側面視において各々相違する光路を形成するように複数設けられている。
【００４５】
以下に、本実施の形態２に係る加熱調理器１００の制御フローチャートの第１の例について、図４のステップＳ１０〜ステップＳ７０を用いて説明する。加熱調理が開始されると、ステップＳ１０に移行する。なお、本実施の形態２におけるステップＳ１０，ステップＳ３０〜ステップＳ７０における処理は、実施の形態１における処理と同一であるため、説明を割愛する。
【００４６】
ステップＳ２０において、制御手段５０が、加熱調理器１００の前に使用者が存在すると判定した場合には（ステップＳ２０においてＹＥＳ）、ステップＳ７０に移行する。
一方、ステップＳ２０において、制御手段５０が、加熱調理器１００の前に使用者が存在しないと判定した場合には（ステップＳ２０においてＮＯ）、ステップＳ３０に移行する。ここで、人感センサ１１，１２の何れもが使用者を検出した場合にステップＳ７０に移行し、人感センサ１１，１２の少なくとも何れかが使用者を検出しなかった場合にステップＳ３０に移行するものとする。
【００４７】
以下に、本実施の形態２に係る加熱調理器１００の制御フローチャートの第２の例について、図５のステップＳ１０〜ステップＳ６０を用いて説明する。加熱調理が開始されると、ステップＳ１０に移行する。なお、本実施の形態２におけるステップＳ１０，ステップＳ３０〜ステップＳ６０における処理は、実施の形態１における処理と同一であるため、説明を割愛する。
【００４８】
ステップＳ２０において、制御手段５０が、加熱調理器１００の前に使用者が存在すると判定した場合には（ステップＳ２０においてＹＥＳ）、ステップＳ１０に移行する。
一方、ステップＳ２０において、制御手段５０が、加熱調理器１００の前に使用者が存在しないと判定した場合には（ステップＳ２０においてＮＯ）、ステップＳ３０に移行する。ここで、人感センサ１１，１２の何れもが使用者を検出した場合にステップＳ１０に移行し、人感センサ１１，１２の少なくとも何れかが使用者を検出しなかった場合にステップＳ３０に移行するものとする。
【００４９】
以上のように、本実施の形態２に係る加熱調理器１００は、人感センサ１１，１２は、本体１の側面視において各々相違する光路を形成するように複数設けられている。このため、人感センサ１１のみに基づいて使用者の存在を検出する場合に比べて、従来よりも適切に、加熱調理を継続又は停止させることができる。
【００５０】
また、本実施の形態２に係る加熱調理器１００は、加熱調理を開始後、複数の人感センサ１１，１２が使用者の存在を検知した場合において識別情報と入力情報とが一致するとき、加熱調理を継続させ、加熱調理を開始後、複数の人感センサ１１，１２が使用者の存在を検知した場合において識別情報と入力情報とが相違するとき、加熱調理を停止させる。このため、加熱調理器１００の前に使用者が位置していてさらに使用者が位置する場合において、加熱調理器１００の前に存在する使用者が操作に精通した者であるかどうかを一層正確に検知することができる。
【００５１】
また、本実施の形態２に係る加熱調理器１００は、制御手段５０は、加熱調理を開始後、複数の人感センサ１１，１２のうち少なくとも何れかが使用者の存在を検知しない場合において識別情報と入力情報とが一致するとき、加熱調理を継続させ、加熱調理を開始後、複数の人感センサ１１，１２のうち少なくとも何れかが使用者の存在を検知しない場合において識別情報と入力情報とが相違するとき、加熱調理を停止させる。このため、加熱調理器１００の前に位置する使用者が存在しない、又は加熱調理器１００の前に位置する使用者が操作に精通したものでない可能性である場合に、加熱調理器１００の操作に精通した使用者が存在するか否かを判定することができる。
【００５２】
なお、人感センサ１１，１２の具体的な配置や角度は、図示の例に限定されるものではない。人感センサ１１，１２が何れも天板２に設けられるようになっていてもよく、人感センサ１１，１２が何れも前面操作部９に設けられるようになっていてもよい。相対的に上方に設けられる人感センサが、身長が基準以上の使用者を検出でき、身長が基準未満の使用者を検出できない程度に構成されていればよい。
【００５３】
また、以上の説明においては、人感センサが設けられる数が２つである例について説明したが、人感センサの具体的な数はこれに限定されず、人感センサを３つ以上設けるようにしてもよい。
【００５４】
また、図４，図５のフローチャートにおける処理を行っている最中に調理が完了した場合には、報知手段７０は調理が完了した旨を報知してもよい。また、報知手段７０が調理を完了した旨を報知した後において使用者から音声情報が出力されなかった場合に、報知手段７０は調理が完了した旨を繰り返し報知してもよい。また、報知手段７０は調理が完了した旨を繰り返し報知する場合において音声の音量を段階的に上げるようにしてもよい。
【符号の説明】
【００５５】
１  本体、２  天板、３  左加熱口、４  右加熱口、５  中央加熱口、８  上面操作部、９  前面操作部、１０  操作手段、１１  人感センサ、１２  人感センサ、５０  制御手段、５０ａ  記憶手段、５９  インバータ回路、６０  加熱手段、７０  報知手段、１００  加熱調理器、ｔ  カウント。
【図１】
0006494381.tif 000002
【図２】
0006494381.tif 000003
【図３】
0006494381.tif 000004
【図４】
0006494381.tif 000005
【図５】
0006494381.tif 000006